【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
複合メディアをクライアント・アプリケーションに配信するための、コンピューターにより実行される方法であって、
少なくとも１つの外部ソースから複数のデーターを受信するステップと、
前記複数のデーターから少なくとも一部を選択するステップであって、前記複合メディアの配信時間期間、ユーザー情報、およびクライアント・アプリケーションのタイプのうち少なくとも１つにしたがって、前記複数のデーターの前記少なくとも一部が選択されるステップと、
少なくとも１つの予め作成されたテンプレートを複数のテンプレートから選択するステップであって、前記複数のテンプレートの各々は、少なくとも１つのイメージまたはテキストを含み、選択された前記予め作成されたテンプレートは、前記少なくとも外部ソースから前記複数のデーターを受ける前に発生され、かつ選択された前記予め作成されたテンプレートは、選択された前記複数のデーターの前記タイプと、
１）前記クライアント・アプリケーションにおいて選択された前記複数のデーターを含む前記少なくとも１つの予め作成されたテンプレートの配置、
２）クライアント・アプリケーションのタイプ、
のうちの１つ以上とに基づいて選択される、ステップと、
前記複合メディアを発生するために、前記複数のデーターの前記少なくとも一部を前記少なくとも１つの予め作成されたテンプレートに統合するステップと、
前記複合メディアを前記クライアント・アプリケーションに配信するステップと、
を含む、方法。
【請求項２】
請求項１記載の方法において、少なくとも１つの外部ソースからの前記複数のデーターは、ＲＳＳ−スタイル・フィード、株式フィード、またはＸＭＬ交換のうちの１つである、方法。
【請求項３】
請求項１または２に記載の方法であって、更に、
前記クライアント・アプリケーションにおいて表示するメディアに対する要求を受けるステップを含む、方法。
【請求項４】
請求項３記載の方法において、前記クライアント・アプリケーションにおいて表示するメディアに対する前記要求は、複数の要件を含む、方法。
【請求項５】
請求項４記載の方法において、前記複数の要件は、前記クライアント・アプリケーションにおいて表示する前記メディアの要求サイズ、および前記クライアント・アプリケーションにおいて表示する前記メディアの配置、のうち少なくとも１つを含む、方法。
【請求項６】
請求項５記載の方法であって、更に、
前記複数の要件にしたがって、前記複合メディアを変更するステップを含む、方法。
【請求項７】
請求項３から６のいずれかに記載の方法において、前記クライアント・アプリケーションにおいて表示するメディアに対する前記要求に応答して、前記複合メディアを発生するために、前記複数のデーターの前記少なくとも一部は、前記少なくとも１つの予め作成されたテンプレートに統合される、方法。
【請求項８】
請求項３から７のいずれかに記載の方法において、前記クライアント・アプリケーションにおいて表示するメディアに対する前記要求を受ける前に、前記複合メディアは発生される、方法。
【請求項９】
請求項１から８のいずれかに記載の方法において、前記クライアント・アプリケーションはケーミング・アプリケーションである、方法。
【請求項１０】
請求項１から９のいずれかに記載の方法において、前記少なくとも１つの外部ソースからの前記複数のデーターは、特定の映画館についての現在上映中の映画および時間、気象情報、株式情報、スポーツのスコア、列車時刻表、アンバー・アラート、最新ニュース・イベントに関する情報、広告、クーポン、または特定のユーザーだけに行われるオファー、のうちの少なくとも１つである、方法。
【請求項１１】
複合メディアをゲーミング・アプリケーションに配信するための、コンピューターにより実行される方法であって、
少なくとも１つの外部ソースから複数のデーターを受信するステップと、
前記複数のデーターから複数のデーター部分集合を選択するステップと、
複数の予め作成されたテンプレートを選択するステップであって、前記複数の予め作成されたテンプレートは、各々少なくとも１つのイメージまたはテキストを含み、選択された前記予め作成されたテンプレートは、前記複数のデーターを受ける前に作成されて、前記複数の予め作成されたテンプレートが前記少なくとも１つの外部ソースから受けた前記複数のデーターとは別に格納されるようにし、前記複数の予め作成されたテンプレートは、前記複数のデーター部分集合のタイプと、前記クライアント・アプリケーションに統合された選択された前記複数のデーターを含む前記少なくとも１つの予め作成されたテンプレートの配置と、クライアント・アプリケーションのタイプとにしたがって選択される、ステップと、
複数の複合メディアを発生するために、前記複数のデーター部分集合の各々を、前記複数の予め作成されたテンプレートのうちの１つに統合するステップと、
前記ゲーミング・アプリケーションにおいて表示するメディアに対する要求を受けるステップであって、前記要求が複数の要件を含む、ステップと、
前記複数の要件にしたがって、前記複合メディアの少なくとも１つを選択するステップと、
前記複合メディアの前記少なくとも１つを前記ゲーミング・アプリケーションに配信するステップと、
を含む、方法。
【請求項１２】
請求項１１記載の方法において、少なくとも１つの外部ソースからの前記複数のデーターは、ＲＳＳ−スタイル・フィード、株式フィード、またはＸＭＬ交換、のうちの１つである、方法。
【請求項１３】
請求項１１または１２に記載の方法において、前記複数の要件は、前記クライアント・アプリケーションにおいて表示する前記メディアの要求サイズを含む、方法。
【請求項１４】
請求項１１から１３のいずれかに記載の方法において、前記メディアに対する要求は、前記ゲーミング・アプリケーションによって行われる、方法。
【請求項１５】
請求項１１から１４のいずれかに記載の方法において、前記少なくとも１つの外部ソースからの前記複数のデーターは、特定の映画館についての現在上映中の映画および時間、気象情報、株式情報、スポーツのスコア、列車時刻表、アンバー・アラート、最新ニュース・イベントに関する情報、広告、クーポン、または特定のユーザーだけに行われるオファー、のうちの少なくとも１つである、方法。
【請求項１６】
請求項１１から１５のいずれかに記載の方法であって、更に、
前記複数の要件にしたがって、前記複合メディアの前記少なくとも１つを変更するステップを含む、方法。
【請求項１７】
コンピューター実行可能命令が具体化された１つ以上のコンピューター読み取り可能記憶媒体であって、前記コンピューター実行可能命令が、プロセッサーとメモリーとを有する計算機により実行されると、複合メディアをゲーミング・アプリケーションに配信する方法を実行し、該方法が、
前記ゲーミング・アプリケーションにおいて表示するメディアに対する要求を、前記ゲーミング・アプリケーションから受けるステップであって、前記要求が複数の要件を含み、該複数の要件が、前記ゲーミング・アプリケーションにおいて表示するメディアの要求サイズ、前記ゲーミング・アプリケーションにおいて表示するメディアの要求タイプ、および前記ゲーミング・アプリケーションにおいて表示する前記メディアを要求したゲーミング・アプリケーションのタイプ、のうち少なくとも１つを含む、ステップと、
少なくとも１つの外部ソースから複数のデーターを受信するステップと、
前記複数のデーターの少なくとも一部を選択するステップであって、前記複合メディアの配信時間期間、ユーザー情報、およびゲーミング・アプリケーションのタイプ、のうち少なくとも１つにしたがって、前記複数のデーターの前記少なくとも一部が選択される、ステップと、
少なくとも１つのイメージまたはテキストを含む予め作成されたテンプレートを選択するステップであって、前記予め作成されたテンプレートは、前記ゲーミング・アプリケーションからの前記要求を受ける前でかつ前記複数のデーターを受ける前に作成されて、前記予め作成されたテンプレートが前記複数のデーターとは別に格納されるようにし、前記ゲーミング・アプリケーションから受けた前記複数の要件のうち１つ以上、ユーザー情報、および選択された前記複数のデーターの前記少なくとも一部のタイプ、のうち少なくとも１つにしたがって、前記予め作成されたテンプレートが選択される、ステップと、
前記複合メディアを発生するために、前記複数のデーターの前記少なくとも一部を、前記予め作成されたテンプレートに統合するステップと、
前記複合メディアを変更するステップであって、前記ゲーミング・アプリケーションから受けた前記複数の要件のうち１つ以上、ユーザー情報、およびゲーミング・アプリケーションの前記タイプ、のうち少なくとも１つにしたがって、前記複合メディアが変更される、ステップと、
前記複合メディアを前記ゲーミング・アプリケーションに配信するステップと、
を含む、１つ以上のコンピューター読み取り可能記憶媒体。
【請求項１８】
請求項１７記載の１つ以上のコンピューター読み取り可能記憶媒体において、少なくとも１つの外部ソースからの前記複数のデーターは、ＲＳＳ−スタイル・フィード、株式フィード、またはＸＭＬ交換、のうちの１つである、１つ以上のコンピューター読み取り可能記憶媒体。
【請求項１９】
請求項１７または１８に記載の１つ以上のコンピューター読み取り可能記憶媒体において、少なくとも１つの外部ソースからの前記複数のデーターは、特定の映画館についての現在上映中の映画および時間、気象情報、株式情報、スポーツのスコア、列車時刻表、アンバー・アラート、最新ニュース・イベントに関する情報、広告、クーポン、または特定のユーザーだけに行われるオファーのうちの少なくとも１つである、１つ以上のコンピューター読み取り可能記憶媒体。
【請求項２０】
請求項１７から１９のいずれかに記載の１つ以上のコンピューター読み取り可能記憶媒体において、前記ゲーミング・アプリケーションにおいて表示する前記メディアの要求サイズは、前記ゲーミング・アプリケーションにおいて表示する前記メディアの表示場所に基づく、１つ以上のコンピューター読み取り可能記憶媒体。